(57)【要約】【課題】１つ以上のサブキャリアを各々含む複数の周波数帯域へと分割される複数のサブキャリアにより通信する無線通信端末に関する。【解決手段】この無線通信端末は、複数の周波数帯域のチャネル品質インジケータ（ＣＱＩ）を測定し（３１０）、サブセット規準に基づき、チャネル品質インジケータの測定された周波数帯域のサブセットを識別して（３２０）、チャネル品質インジケータの測定された周波数帯域のサブセットを識別する報告を送信するか、或いは、そのサブセットに含まれない周波数帯域を識別する報告を送信する（３３０）。一部の実施形態では、この報告には少なくとも周波数帯域のサブセットに関連するサブセットＣＱＩの値も含まれる。【選択図】図３
2007043696.tif 000002
【特許請求の範囲】
【請求項１】
１つ以上のサブキャリアを各々含む複数の周波数帯域へと分割される複数のサブキャリアからなるチャネルにより通信することが可能な無線通信デバイスにおける方法であって、
複数の周波数帯域のチャネル品質インジケータを測定するチャネル品質インジケータ測定工程と、
サブセット規準に基づき、チャネル品質インジケータの測定された周波数帯域のサブセットを識別するサブセット識別工程と、
チャネル品質インジケータの測定された周波数帯域のサブセット及びチャネル品質インジケータの測定された周波数帯域のサブセットに含まれない周波数帯域のうちの一方又は両方を識別する情報を送信する識別情報送信工程と、
少なくとも周波数帯域のサブセットに関連するサブセットチャネル品質インジケータの値を送信するサブセットチャネル品質インジケータ送信工程と、からなる方法。
【請求項２】
識別情報送信工程は、チャネル品質インジケータの測定された周波数帯域のサブセットを識別するビットマップを送信する工程と、ビットマップはチャネル品質インジケータの測定された複数の周波数帯域の各々に対し１つ以上のビット位置を有することと、を含む請求項１に記載の方法。
【請求項３】
チャネル品質インジケータの測定される複数の周波数帯域を識別する情報を測定より前に受信する工程を含む請求項１に記載の方法。
【請求項４】
チャネル品質インジケータの測定された複数の周波数帯域を報告する工程を含む請求項１に記載の方法。
【請求項５】
周波数帯域のサブセットに対し測定されるチャネル品質インジケータの関数を送信する関数送信工程を含む請求項１に記載の方法。
【請求項６】
関数送信工程は、周波数帯域のサブセットに対し測定されるチャネル品質インジケータの平均値、周波数帯域のサブセットに対し測定されるチャネル品質インジケータの最小値、周波数帯域のサブセットに対し測定されるチャネル品質インジケータのメジアン及び周波数帯域のサブセットに対し測定されるチャネル品質インジケータの最大値のうちの１つ以上を送信する工程を含む請求項５に記載の方法。
【請求項７】
サブセット識別工程は、
参照チャネル品質インジケータに基づき１つ以上の周波数帯域を識別する工程と、
同１つ以上の周波数帯域の参照チャネル品質インジケータの範囲以内の測定されるチャネル品質インジケータを有する追加の周波数帯域を識別する工程と、を含む請求項１に記載の方法。
【請求項８】
ビットマップに加え、１つ以上の追加ビットを送信する工程と、追加ビットは周波数帯域のサブセットに含まれない１つ以上の周波数帯域に対し測定されるチャネル品質インジケータを表すことと、を含む請求項２に記載の方法。
【請求項９】
ビットマップに加え、１つ以上の追加ビットを送信する工程と、同１つ以上の追加ビットは周波数帯域のサブセットに含まれない第１の周波数帯域及び第２の周波数帯域に対し測定されるチャネル品質インジケータを表すことと、
第１の周波数帯域及び第２の周波数帯域は周波数帯域のサブセットに含まれる１つ以上の周波数帯域に隣接するか又は同１つ以上の周波数帯域から所定の範囲に位置することと、を含む請求項２に記載の方法。
【請求項１０】
ビットマップに加え、複数の追加ビットを送信する工程と、同複数の追加ビットの数は周波数帯域のサブセットに含まれる周波数帯域の数に相当することと、
同複数の追加ビットの各々は追加ビットの相当する周波数帯域に隣接する１つ以上の周波数帯域のチャネル品質インジケータを表すことと、
追加ビットの相当する周波数帯域に隣接する同１つ以上の周波数帯域は周波数帯域のサブセットに含まれないことと、を含む請求項２に記載の方法。
【請求項１１】
周波数帯域のサブセットを識別する工程と、サブセットの最大の大きさは複数の周波数帯域に相当する数未満であることと、を含む請求項１に記載の方法。
【請求項１２】
周波数帯域のサブセットを識別する工程と、サブセット規準は無線通信デバイスが動作するネットワークによりサポートされるトラフィックタイプ又はデータサービスに基づくことと、を含む請求項１に記載の方法。
【請求項１３】
無線通信デバイスは１つ以上のサブキャリアを各々含む複数の周波数帯域へと分割される複数のサブキャリアから各々なる第１のチャネル及び第２のチャネルにより通信することが可能な無線通信デバイスであることと、
第１のチャネル及び第２のチャネルにより複数の周波数帯域のチャネル品質インジケータを測定する工程と、
サブセット規準に基づき、第１のチャネル及び第２のチャネルによりチャネル品質インジケータの測定された周波数帯域のサブセットを識別する工程と、
第１のチャネル及び第２のチャネルによりチャネル品質インジケータの測定された周波数帯域のサブセットと、第１のチャネル及び第２のチャネルによりチャネル品質インジケータの測定された周波数帯域のサブセットに含まれない周波数帯域とのうちの一方を識別する情報を交代に送信する工程と、
少なくとも第１のチャネル及び第２のチャネルにより識別される周波数帯域のサブセットに関連するサブセットチャネル品質インジケータの値を交代に送信する工程と、を含む請求項１に記載の方法。
【請求項１４】
少なくとも部分的にはドップラー周波数に基づくサブセット規準に基づき、チャネル品質インジケータの測定された周波数帯域のサブセットを識別する工程を含む請求項１に記載の方法。
【請求項１５】
部分的な制御割り当てを受信する工程と、
部分的な制御割り当て及び周波数帯域のチャネル品質インジケータ測定情報から完全な制御割り当てを構築する工程と、を含む請求項１に記載の方法。
【請求項１６】
１つ以上のサブキャリアを各々含む複数の周波数帯域へと分割される複数のサブキャリアからなるチャネルにより通信することが可能な送受信機と、
同送受信機と通信可能に接続されており、かつ、複数の周波数帯域のチャネル品質インジケータを測定し、サブセット規準に基づきチャネル品質インジケータの測定された周波数帯域のサブセットを識別するためのプロセッサと、
同プロセッサは送受信機による送信用の情報を生成することと、
生成される情報はチャネル品質インジケータの測定された周波数帯域のサブセット及びチャネル品質インジケータの測定された周波数帯域のサブセットに含まれない周波数帯域のうちの一方又は両方を識別することと、
生成される情報は少なくとも周波数帯域のサブセットに関連するサブセットチャネル品質インジケータの値を含むことと、からなる無線通信端末。
【請求項１７】
生成される情報はビットマップの形式であることを含む請求項１６に記載の無線通信端末。
【請求項１８】
ビットマップは周波数帯域のサブセットに含まれない１つ以上の周波数帯域に対し測定されるチャネル品質インジケータを表す１つ以上のビットを含む請求項１７に記載の無線通信端末。
【請求項１９】
サブセットチャネル品質インジケータの値は周波数帯域のサブセットに対し測定されるチャネル品質インジケータの平均値、周波数帯域のサブセットに対し測定されるチャネル品質インジケータの最小値、周波数帯域のサブセットに対し測定されるチャネル品質インジケータのメジアン及び周波数帯域のサブセットに対し測定されるチャネル品質インジケータの最大値のうちの１つ以上を含む請求項１６に記載の無線通信端末。
【請求項２０】
１つ以上の周波数帯域の参照チャネル品質インジケータの範囲以内の測定されるチャネル品質インジケータを有する追加の周波数帯域を識別することを含む請求項１６に記載の無線通信端末。
【請求項２１】
ビットマップは周波数帯域のサブセットに含まれない第１の周波数帯域及び第２の周波数帯域に対し測定されるチャネル品質インジケータを表す１つ以上の追加ビットを含むことと、
第１の周波数帯域及び第２の周波数帯域は周波数帯域のサブセットに含まれる１つ以上の周波数帯域に隣接するか又は同１つ以上の周波数帯域から所定の範囲に位置することと、を含む請求項１７に記載の無線通信端末。
【請求項２２】
１つ以上のサブキャリアを各々含む複数の周波数帯域へと分割される複数のサブキャリアからなるチャネルにより通信することが可能な送受信機と、
同送受信機と通信可能に接続されており、かつ、複数の周波数帯域のチャネル品質インジケータを測定し、サブセット規準に基づきチャネル品質インジケータの測定された周波数帯域のサブセットを識別するためのプロセッサと、
同プロセッサは送受信機による送信用の情報を生成することと、
生成される情報はチャネル品質インジケータの測定された周波数帯域のサブセットを識別することと、
生成される情報は少なくとも周波数帯域のサブセットに関連するサブセットチャネル品質インジケータの値を含むことと、からなる無線通信端末。
【発明の詳細な説明】
【技術分野】
【０００１】
本発明は無線通信に関する。より詳細には、本発明は１つ以上のサブチャネルを各々含む複数の周波数帯域のチャネル品質インジケータ（ＣＱＩ；ｃｈａｎｎｅｌ  ｑｕａｌｉｔｙ  ｉｎｄｉｃａｔｏｒ）による報告に関する。報告されるＣＱＩは、例えば、直交周波数分割多元接続（ＯＦＤＭＡ）システムなどの通信システムにおけるスケジューリングや、それに関連する方法において有用である。
【背景技術】
【０００２】
直交周波数分割多元接続（ＯＦＤＭＡ）による無線通信プロトコルや、マルチキャリア変調法によるその他のプロトコルでは、周波数選択的（ＦＳ；Ｆｒｅｑｕｅｎｃｙ  Ｓｅｌｅｃｔｉｖｅ）スケジューラを用いて、時間領域及び周波数領域においてスケジューリングの最適化が行われる。理想的なＦＳスケジューリングでは、周波数非選択的（ＦＮＳ；Ｆｒｅｑｕｅｎｃｙ  Ｎｏｎ−Ｓｅｌｅｃｔｉｖｅ）スケジューリングと比較して、システムスループットが５０％ほど改良される。時分割−符号分割多元接続（ＴＤ−ＣＤＭＡ）の物理レイヤではＦＮＳスケジューリングが行われ、スケジューリングは時間領域においてのみ有効とされる。各移動体端末、即ち、ユーザ機器（ＵＥ；Ｕｓｅｒ  Ｅｑｕｉｐｍｅｎｔ）により周波数帯域毎のチャネル品質インジケータ（ＣＱＩ）が提供され、基地局（ＢＳ；Ｂａｓｅ  Ｓｔａｔｉｏｎ）スケジューラによるＦＳスケジューリングが可能となることは周知である。
【発明の開示】
【発明が解決しようとする課題】
【０００３】
１つ以上のサブチャネルを各々含む複数の周波数帯域のチャネル品質インジケータによる報告を提供する。
【課題を解決するための手段】
【０００４】
上記問題点を解決するために、請求項１に記載の発明は、１つ以上のサブキャリアを各々含む複数の周波数帯域へと分割される複数のサブキャリアからなるチャネルにより通信することが可能な無線通信デバイスにおける方法であって、複数の周波数帯域のチャネル品質インジケータを測定するチャネル品質インジケータ測定工程と、サブセット規準に基づき、チャネル品質インジケータの測定された周波数帯域のサブセットを識別するサブセット識別工程と、チャネル品質インジケータの測定された周波数帯域のサブセット及びチャネル品質インジケータの測定された周波数帯域のサブセットに含まれない周波数帯域のうちの一方又は両方を識別する情報を送信する識別情報送信工程と、少なくとも周波数帯域のサブセットに関連するサブセットチャネル品質インジケータの値を送信するサブセットチャネル品質インジケータ送信工程と、からなることを要旨とする。
【０００５】
請求項２に記載の発明は、請求項１に記載の方法において、識別情報送信工程は、チャネル品質インジケータの測定された周波数帯域のサブセットを識別するビットマップを送信する工程と、ビットマップはチャネル品質インジケータの測定された複数の周波数帯域の各々に対し１つ以上のビット位置を有することと、を含むことを要旨とする。
【０００６】
請求項３に記載の発明は、請求項１に記載の方法において、チャネル品質インジケータの測定される複数の周波数帯域を識別する情報を測定より前に受信する工程を含むことを要旨とする。
【０００７】
請求項４に記載の発明は、請求項１に記載の方法において、チャネル品質インジケータの測定された複数の周波数帯域を報告する工程を含むことを要旨とする。
請求項５に記載の発明は、請求項１に記載の方法において、周波数帯域のサブセットに対し測定されるチャネル品質インジケータの関数を送信する関数送信工程を含むことを要旨とする。
【０００８】
請求項６に記載の発明は、請求項５に記載の方法において、関数送信工程は、周波数帯域のサブセットに対し測定されるチャネル品質インジケータの平均値、周波数帯域のサブセットに対し測定されるチャネル品質インジケータの最小値、周波数帯域のサブセットに対し測定されるチャネル品質インジケータのメジアン及び周波数帯域のサブセットに対し測定されるチャネル品質インジケータの最大値のうちの１つ以上を送信する工程を含むことを要旨とする。
【０００９】
請求項７に記載の発明は、請求項１に記載の方法において、サブセット識別工程は、参照チャネル品質インジケータに基づき１つ以上の周波数帯域を識別する工程と、同１つ以上の周波数帯域の参照チャネル品質インジケータの範囲以内の測定されるチャネル品質インジケータを有する追加の周波数帯域を識別する工程と、を含むことを要旨とする。
【００１０】
請求項８に記載の発明は、請求項２に記載の方法において、ビットマップに加え、１つ以上の追加ビットを送信する工程と、追加ビットは周波数帯域のサブセットに含まれない１つ以上の周波数帯域に対し測定されるチャネル品質インジケータを表すことと、を含むことを要旨とする。
【００１１】
請求項９に記載の発明は、請求項２に記載の方法において、ビットマップに加え、１つ以上の追加ビットを送信する工程と、同１つ以上の追加ビットは周波数帯域のサブセットに含まれない第１の周波数帯域及び第２の周波数帯域に対し測定されるチャネル品質インジケータを表すことと、第１の周波数帯域及び第２の周波数帯域は周波数帯域のサブセットに含まれる１つ以上の周波数帯域に隣接するか又は同１つ以上の周波数帯域から所定の範囲に位置することと、を含むことを要旨とする。
【００１２】
請求項１０に記載の発明は、請求項２に記載の方法において、ビットマップに加え、複数の追加ビットを送信する工程と、同複数の追加ビットの数は周波数帯域のサブセットに含まれる周波数帯域の数に相当することと、同複数の追加ビットの各々は追加ビットの相当する周波数帯域に隣接する１つ以上の周波数帯域のチャネル品質インジケータを表すことと、追加ビットの相当する周波数帯域に隣接する同１つ以上の周波数帯域は周波数帯域のサブセットに含まれないことと、を含むことを要旨とする。
【００１３】
請求項１１に記載の発明は、請求項１に記載の方法において、周波数帯域のサブセットを識別する工程と、サブセットの最大の大きさは複数の周波数帯域に相当する数未満であることと、を含むことを要旨とする。
【００１４】
請求項１２に記載の発明は、請求項１に記載の方法において、周波数帯域のサブセットを識別する工程と、サブセット規準は無線通信デバイスが動作するネットワークによりサポートされるトラフィックタイプ又はデータサービスに基づくことと、を含むことを要旨とする。
【００１５】
請求項１３に記載の発明は、請求項１に記載の方法において、無線通信デバイスは１つ以上のサブキャリアを各々含む複数の周波数帯域へと分割される複数のサブキャリアから各々なる第１のチャネル及び第２のチャネルにより通信することが可能な無線通信デバイスであることと、第１のチャネル及び第２のチャネルにより複数の周波数帯域のチャネル品質インジケータを測定する工程と、サブセット規準に基づき、第１のチャネル及び第２のチャネルによりチャネル品質インジケータの測定された周波数帯域のサブセットを識別する工程と、第１のチャネル及び第２のチャネルによりチャネル品質インジケータの測定された周波数帯域のサブセットと、第１のチャネル及び第２のチャネルによりチャネル品質インジケータの測定された周波数帯域のサブセットに含まれない周波数帯域とのうちの一方を識別する情報を交代に送信する工程と、少なくとも第１のチャネル及び第２のチャネルにより識別される周波数帯域のサブセットに関連するサブセットチャネル品質インジケータの値を交代に送信する工程と、を含むことを要旨とする。
【００１６】
請求項１４に記載の発明は、請求項１に記載の方法において、少なくとも部分的にはドップラー周波数に基づくサブセット規準に基づき、チャネル品質インジケータの測定された周波数帯域のサブセットを識別する工程を含むことを要旨とする。
【００１７】
請求項１５に記載の発明は、請求項１に記載の方法において、部分的な制御割り当てを受信する工程と、部分的な制御割り当て及び周波数帯域のチャネル品質インジケータ測定情報から完全な制御割り当てを構築する工程と、を含むことを要旨とする。
【００１８】
請求項１６に記載の発明は、１つ以上のサブキャリアを各々含む複数の周波数帯域へと分割される複数のサブキャリアからなるチャネルにより通信することが可能な送受信機と、同送受信機と通信可能に接続されており、かつ、複数の周波数帯域のチャネル品質インジケータを測定し、サブセット規準に基づきチャネル品質インジケータの測定された周波数帯域のサブセットを識別するためのプロセッサと、同プロセッサは送受信機による送信用の情報を生成することと、生成される情報はチャネル品質インジケータの測定された周波数帯域のサブセット及びチャネル品質インジケータの測定された周波数帯域のサブセットに含まれない周波数帯域のうちの一方又は両方を識別することと、生成される情報は少なくとも周波数帯域のサブセットに関連するサブセットチャネル品質インジケータの値を含むことと、からなることを要旨とする。
【００１９】
請求項１７に記載の発明は、請求項１６に記載の無線通信端末において、生成される情報はビットマップの形式であることを含むことを要旨とする。
請求項１８に記載の発明は、請求項１７に記載の無線通信端末において、ビットマップは周波数帯域のサブセットに含まれない１つ以上の周波数帯域に対し測定されるチャネル品質インジケータを表す１つ以上のビットを含むことを要旨とする。
【００２０】
請求項１９に記載の発明は、請求項１６に記載の無線通信端末において、サブセットチャネル品質インジケータの値は周波数帯域のサブセットに対し測定されるチャネル品質インジケータの平均値、周波数帯域のサブセットに対し測定されるチャネル品質インジケータの最小値、周波数帯域のサブセットに対し測定されるチャネル品質インジケータのメジアン及び周波数帯域のサブセットに対し測定されるチャネル品質インジケータの最大値のうちの１つ以上を含むことを要旨とする。
【００２１】
請求項２０に記載の発明は、請求項１６に記載の無線通信端末において、１つ以上の周波数帯域の参照チャネル品質インジケータの範囲以内の測定されるチャネル品質インジケータを有する追加の周波数帯域を識別することを含むことを要旨とする。
【００２２】
請求項２１に記載の発明は、請求項１７に記載の無線通信端末において、ビットマップは周波数帯域のサブセットに含まれない第１の周波数帯域及び第２の周波数帯域に対し測定されるチャネル品質インジケータを表す１つ以上の追加ビットを含むことと、第１の周波数帯域及び第２の周波数帯域は周波数帯域のサブセットに含まれる１つ以上の周波数帯域に隣接するか又は同１つ以上の周波数帯域から所定の範囲に位置することと、を含むことを要旨とする。
【００２３】
請求項２２に記載の発明は、１つ以上のサブキャリアを各々含む複数の周波数帯域へと分割される複数のサブキャリアからなるチャネルにより通信することが可能な送受信機と、同送受信機と通信可能に接続されており、かつ、複数の周波数帯域のチャネル品質インジケータを測定し、サブセット規準に基づきチャネル品質インジケータの測定された周波数帯域のサブセットを識別するためのプロセッサと、同プロセッサは送受信機による送信用の情報を生成することと、生成される情報はチャネル品質インジケータの測定された周波数帯域のサブセットを識別することと、生成される情報は少なくとも周波数帯域のサブセットに関連するサブセットチャネル品質インジケータの値を含むことと、からなることを要旨とする。
【発明を実施するための最良の形態】
【００２４】
図１には、セルラーネットワークからなる例示的な無線通信システムを示す。このセルラーネットワークには、地理領域を通じて分配されている複数のセルサービング基地局１１０が含まれる。セルサービング基地局、即ち、基地局送受信機１１０は、一般にセルサイトとも呼ばれる。各セルサイトは、セクタとも呼ばれる１つ以上のセルからなる。基地局はコントローラ１２０により通信可能に相互接続されている。通常、コントローラ１２０はゲートウェイを介して公衆交換電話網（ＰＳＴＮ）１３０及びパケットデータネットワーク（ＰＤＮ）１４０へ接続されている。このネットワークは、データルーティング、アドミッション制御、加入者課金、端末認証などを含む管理機能を備えるが、当業者には一般に知られているように、他のネットワークエンティティにより管理機能が制御されてもよい。やはり当業者には一般に知られているように、無線移動体端末、例えば、セルラー端末１０２は音声又はデータを相互に通信するとともに、ネットワーク１００や、例えば、ＰＳＴＮ又はＰＤＮなど他のネットワークを介してエンティティと通信する。
【００２５】
図２には、例示的な無線端末２００を示す。無線端末２００はプロセッサ２１０及びメモリ２２０を備えており、プロセッサ２１０はメモリ２２０に通信可能に接続されている。メモリ２２０は、例えば、ＲＡＭ、ＲＯＭなどである。無線送受信機２３０は無線インタフェースを通じて上述のネットワークの基地局と通信する。また、無線端末２００は他の入出力に加えて、ディスプレイ、マイクロホン及び音声出力を含む、ユーザインタフェース（ＵＩ）２４０も備える。当業者には一般に知られているように、プロセッサはメモリに記憶される実行可能なプログラムの制御下にある、ディジタルコントローラ又はデジタル信号プロセッサとして実装されてよい。
【００２６】
図１の基地局１１０は各々、対応するセルラーエリアにおいて移動体端末をスケジューリングする又は移動体端末にリソースを割り当てるためのスケジューラを備える。例えば、８０２．１６ｅ、３ＧＰＰ２のマルチキャリアＨＲＰＤ−Ａ、及び３ＧＰＰのＵＴＲＡ／ＵＴＲＡＮスタディアイテムのロングタームエボリューション（エボルブド（ｅｖｏｌｖｅｄ）ＵＴＲＡ／ＵＴＲＡＮ、即ち、ＥＵＴＲＡ／ＥＵＴＲＡＮとしても知られている）を含む、直交周波数分割多元接続（ＯＦＤＭＡ）、マルチキャリア接続又はマルチチャネルＣＤＭＡ無線通信プロトコルでは、周波数選択的（ＦＳ）スケジューラを用いて、時間領域及び周波数領域においてスケジューリングが行われる。一般に、基地局スケジューラによるＦＳスケジューリングを可能とするには、各移動体端末により周波数帯域毎のチャネル品質インジケータ（ＣＱＩ）が提供される必要がある。
【００２７】
一般に、ＯＦＤＭ並びに移動局によるＣＱＩ報告が有用である他の通信プロトコル及びフォーマットでは、チャネルは、複数の周波数帯域へと分割される複数のサブキャリアからなり、各周波数帯域には１つ以上のサブキャリアが含まれる。サブキャリアは連結されたキャリアからなってもよく、別個のキャリアからなってもよい。例えば、ＣＤＭＡマルチキャリアシステムでは、キャリアはサブキャリアであってよく、各周波数帯域には１つ以上のサブキャリアが含まれてよい。
【００２８】
図３の例示的な処理３００では、３１０にて、移動体端末は複数の周波数帯域の各々のチャネル品質インジケータ（ＣＱＩ）を測定する。ＯＦＤＭシステムでは、帯域は単一のサブキャリアほどに小さくてもよく、或いは、複数のサブキャリア、例えば、１５や２５のサブキャリアなどからなってもよい。複数の送受信アンテナを備えるＭＩＭＯ方式の送受信機により生成されるように、測定される幾つかの周波数帯域により、１より多くの空間サブチャネルがカバーされてもよい。一般に、ＣＱＩ測定は定期的に、例えば、１フレーム毎や数フレーム毎に行われる。これに代えて、ネットワークによりＣＱＩ測定が要求されてもよく、或いは例えば、先のＣＱＩ報告から現在の時刻までに過剰な期間が経過した場合に、要求されていないＣＱＩ測定報告が移動体端末により自律的に送信されてもよい。
【００２９】
リンクは周波数選択的（ＦＳ）モード又は周波数非選択的（ＦＮＳ）モードで動作してもよく、或いは例えば、ハイブリッドモード又は半選択的モードなど、他のモードで動作してもよい。通常、ＦＳモードには、ＦＳ（帯域特定的）ＣＱＩ報告及び（ＢＳが他の決定を行わない限りは）ＦＳスケジューリングが存在する。同様にＦＮＳモードでは、ＦＮＳ  ＣＱＩ報告及びＦＮＳスケジューリングが行われる。ＦＳモード及びＦＮＳモードはそれぞれ、例えば、低速（低ドップラー）動作及び高速動作で用いられてよい。しかしながら、例えば、ＣＱＩフィードバックを減少させるためやスケジューラの多重化のため、低速動作にもＦＮＳモードが用いられてよい。また、ＣＱＩフィードバックを増大させる代わりに、ＦＮＳスケジューリングにおいて帯域特定的なＦＳ報告が用いられてもよい。ＦＮＳモードでは、通常、複数の周波数帯域により広帯域（ワイドバンド）チャネルがカバーされ、分解される場合もあるが、割り当てられる周波数リソースのほぼ全帯域幅が考慮される。ＦＮＳモードでは、複数の周波数帯域の各々に対し測定されるＣＱＩは単一のＦＮＳ（即ち、広帯域）ＣＱＩとして表現され得る。ＦＳモードでは、測定される複数の周波数帯域の各々は狭帯域（ナローバンド）チャネルであっても、狭帯域情報全体は依然として広帯域測定を表す。複数の周波数帯域の各々のＣＱＩはＦＳ（即ち、狭帯域）ＣＱＩと呼ばれる場合がある。
【００３０】
ＵＥは広帯域ＣＱＩ動作と狭帯域ＣＱＩ動作とを自律的に交換してもよく、基地局からの指示により交換してもよい。自律的な交換の場合、ＵＥはＣＱＩモードのそうした変更を、物理レイヤシグナリング又はＭＡＣレイヤシグナリングを介して基地局へ伝達する。また、帯域特定的なＣＱＩ報告を常に送信することも可能であるが、それはおそらく効率的でない。例えば、ＦＳ  ＣＱＩ報告におけるような報告により、スケジューラは、ＣＱＩ報告自体の詳細に加え、追加のＵＥ固有情報（例えば、ユーザ固有ドップラー周波数推定値）やさらにシグナリングにより伝達される情報に基づき、ＦＳ及びＦＮＳのうちのいずれでスケジューリングするかを判定することが可能となる。ＦＳスケジューリングか或いはＦＮＳスケジューリングかの選択は、伝播チャネルマルチパス遅延時間プロファイルや移動体端末性能に加え、例えば、ボイスオーバＩＰ（ＶｏＩＰ；Ｖｏｉｃｅ  ｏｖｅｒ  ＩＰ）など従来のサービスクラスのサービス品質（ＱｏＳ；Ｑｕａｌｉｔｙ  ｏｆ  Ｓｅｒｖｉｃｅ）を必要とするパケットデータや、ウェッブブラウジング又はＨＴＴＰサービスなどベストエフォート型のサービスを必要とするパケットデータなど、サポートされるサービスタイプ又はトラフィックタイプによって決定されてもよい。ＦＮＳスケジューリングは、例えば、特定のＱｏＳクラスに対し適用される。また、チャネル強度周波数応答が周波数により不変である「平坦な」フェージングチャネル、即ち、ＡＷＧＮチャネルであるなど、マルチパスチャネルが周波数選択的でない場合、或いは、ＣＱＩ報告レートが高ドップラー周波数による帯域ＣＱＩ変動に応じるのに充分に速くない場合にも適用される。
【００３１】
各移動体端末に割り当てられる複数の周波数帯域は、帯域の大きさ及び数に関して、アップリンクのシステム負荷、トラフィックタイプ、移動体端末クラス、推定されるチャネルドップラー、チャネル周波数選択性、コヒーレンス帯域幅、セル周波数再使用、達成可能ＳＮＲ、達成可能ペイロード及び帯域ＣＱＩの標準偏差のうちの１つ以上に基づき、又はこれらの任意の組み合わせに基づき判定されてよい。また、移動体端末に割り当てられる複数の周波数帯域は異なるグループ、即ち、チャネルへ分割されてよい。一部の実施形態では、移動局によりＣＱＩ測定が行われる周波数帯域は、スケジューラにより決定される。これらの実施形態では、移動局が測定より前に例えばメッセージなどの情報を受信し、ＣＱＩの測定される複数の周波数帯域を識別してもよい。一般に、測定が行われる周波数帯域の識別子は変化してもよい。他の実施形態では、移動局が測定の行われる周波数帯域を決定する。一部の実施形態では、この情報は、測定の行われるより前又は後に、スケジューラへ報告される。
【００３２】
一部の実施形態では、移動体端末、即ち、ユーザ機器（ＵＥ）はＣＱＩを推定する。一方法では、ＵＥは基地局により送信される共通又は専用の参照シンボルを用い、広帯域ＣＱＩ又は狭帯域ＣＱＩを算出する。これに代えて、ＵＥはパイロットシンボルとデータシンボルとの組み合わせに基づきＣＱＩを算出してもよく、或いは、データシンボルのみに基づきＣＱＩを算出してもよい。パイロットシンボルは情報フレーム毎に送信され、隣接セルにおいて同じ時間周波数位置を占めるので、パイロットシンボルを通じて報告されるＣＱＩはデータシンボルを通じて報告されるＣＱＩと一致しない場合がある。したがって、パイロットの観測及びデータの観測においては、衝突及び衝突による干渉の統計値が異なる場合がある。この場合、ＵＥは周波数領域にフィルタ又は非線形演算子を適用し、周波数における一様でない衝突イベントを平滑化してよい。この場合、同期ネットワークでは、ＵＥは周囲との同期又は隣接基地局からのチャネルシーケンスシンボルの連係処理に基づきＣＱＩ推定も行ってよい。また、基地局は他の基地局からのデータ送信の認識に基づき、報告されるＣＱＩ測定値を変更してもよく、基地局がシグナリングを介して必要なネットワーク設定データを提供することにより、ＵＥに変更を指示してもよい。
【００３３】
図３では、３２０にて、移動体端末はサブセット規準に基づき、ＣＱＩの測定された周波数帯域のサブセットを識別する。一般に、サブセットの最大の大きさは、ＣＱＩ測定の行われた周波数帯域の数に相当する数未満である。一部の実施形態では、サブセット中の周波数帯域の数には制限が存在する。例えば、サブセットの最大の大きさはＣＱＩ測定の行われた周波数帯域の数未満であるが、他の一部の実施形態では、サブセットの最大の大きさはＣＱＩ測定の行われた周波数帯域の数に等しくてよい。
【００３４】
一実施形態では、参照ＣＱＩは１つ以上の周波数帯域ＣＱＩ測定値又はノイズ若しくは干渉推定値に基づき識別される。差メトリック以内又は指定範囲の参照ＣＱＩ以内の測定されるＣＱＩを有する、さらなる周波数帯域が識別されてよい。一実施形態では、ＣＱＩの測定された周波数帯域のサブセットは、少なくとも部分的にはドップラー周波数に基づくサブセット規準に基づき識別される。別の実施形態では、周波数帯域のサブセットは、無線通信デバイスの動作するネットワークによりサポートされるトラフィックタイプ又はデータサービスに少なくとも部分的に基づく、サブセット規準を用いて識別される。サブセット規準はアップリンクのシステム負荷に基づいてもよい。
【００３５】
より詳細な一例は、周波数帯域のサブセットを、最良又は最大のＣＱＩを有する周波数帯域のうちの、指定範囲以内、例えば、ｘｄＢ以内の測定ＣＱＩを有する全ての周波数帯域として識別することである。範囲ｘｄＢは、例えば、０．５ｄＢ、１．０ｄＢ、３．２ｄＢなどである。一部の用途では、この範囲は基地局スケジューラにより認識されるか、或いは、指定される。第２の最良のＣＱＩ、メジアンＣＱＩ又は最高のＣＱＩの一定割合、例えば９０％、を参照ＣＱＩとして用いて、異常なピークの尤度を減少させることが可能である。また、ＣＱＩデータの外れ値は周波数帯域サブセットの大きさを過度に減少させることがある。これに代えて、参照ＣＱＩは幾つかのＣＱＩ測定値の平均に基づいてもよい。一般に、参照の基準として用いられるＣＱＩを有する１つ以上の周波数帯域は、サブセットの一部でもある。他の実施形態では、周波数帯域のサブセットはデータレートを最大化する１つ以上の規準に基づき、又は、その他の性能メトリックの最適化に基づき選択される。周波数帯域のサブセットが例えばＣＱＩ範囲を用いて識別される場合、サブセットに含まれない周波数帯域のＣＱＩに関する情報はスケジューラにて認識される。これに続いて、以下でさらに説明するように、周波数帯域のサブセット（例えば、参照ＣＱＩ又は平均若しくはメジアンのＣＱＩ）と、周波数帯域の対応するサブセットとに関連付けられる単一のＣＱＩの値がＣＱＩ報告により送信されてよい。測定が定期的に行われる実施形態では、以下でさらに説明するように、選択されるサブセットの帯域及び帯域の数は変化してよい。
【００３６】
図３では、３３０にて、移動体端末はＣＱＩの測定された周波数帯域のサブセットを識別する情報を送信するか、若しくはＣＱＩの測定された周波数帯域のサブセットに含まれない周波数帯域を識別するか、又はその両方を行う。周波数帯域が周波数帯域のサブセットに含まれるか含まれないかを識別する情報を、周波数帯域マップと呼ぶ。周波数帯域マップは周波数帯域識別番号のリスト（例えば、１０の帯域のうちの１，２，７など）であってよい。周波数帯域マップは、或る帯域が周波数帯域のサブセットに含まれるか含まれないかが１つ以上のビットを有する各エントリによって示される、単純な２値ビットマップであってもよい。これに代えて、各周波数帯域マップエントリは周波数帯域のサブセットの帰属関係を示してもよい。一部の実施形態では、ビットマップはＣＱＩの順位も示す。また、以下でさらに説明するように、一部の実施形態では、ビットマップは、サブセットに含まれる帯域に隣接する帯域のＣＱＩ情報を提供する。
【００３７】
無線通信デバイスが異なったチャネルで通信する実施形態では、各チャネルにおいてＣＱＩの測定された周波数帯域のサブセットを識別する情報又は報告は、何らかの交代規則に基づき送信されてよい。例えば、移動局が第１及び第２のチャネルにおいて周波数帯域を監視する実施形態では、各チャネルのＣＱＩ報告は交互に送信されてよい。２より多くのチャネルが存在する実施形態では、報告はラウンドロビン式に行われてよい。他の報告手法又はスケジュールも用いられてよい。
【００３８】
一実施形態では、移動体端末はＣＱＩの測定された周波数帯域のサブセットを識別するビットマップを送信する。図４には、例示的なビットマップ４００を示す。ビットマップ４００は、ＣＱＩの測定された複数の周波数帯域の各々のビット位置を有する。各ビットは、ＣＱＩ測定の行われた周波数帯域のうちの１つに対応する。図４では、「１」に設定されているビットは、選択した周波数帯域のサブセットに対応する周波数帯域が含まれることを示す。他の実施形態では、選択される帯域が「０」のビットで示されてもよい。
【００３９】
一部の実施形態では、移動体端末はＣＱＩ報告に加え、周波数帯域のサブセットに対し測定されるＣＱＩに関連する追加の情報を送信する。特定の一実施形態では、この追加の情報は関数である。そうした関数の１つは、少なくとも周波数帯域のサブセットに関連付けられるサブセットＣＱＩ値である。サブセットＣＱＩ値は、周波数帯域のサブセットを決定するために用いられる参照ＣＱＩ、周波数帯域のサブセットに対し測定されるＣＱＩの平均値、周波数帯域のサブセットに対し測定されるＣＱＩの最小値、周波数帯域のサブセットに対し測定されるＣＱＩの最大値、周波数帯域のサブセットに対し測定されるＣＱＩのメジアン又は周波数帯域のサブセットから導出されるその他の統計値若しくは測定値のうちの１つ以上に基づいてよい。この関数は一般にＢＳ及びＵＥの双方により理解される、即ち、認識される。この追加の情報は報告、例えば、ビットマップの一部であってもよいが、一部の実施形態では、別個に通信されてもよい。
【００４０】
したがって一部の実施形態では、ＵＥはネットワークスケジューラに、選択される周波数帯域のサブセットに関する追加の情報を提供する。この情報は、例えば、１より多くのＵＥによる報告を標準化して直接的に比較することを可能とするため、サービングセルにおいてアクティブな複数の移動体端末による各周波数帯域のコンテンションに対処し、ＣＱＩ報告を送信するため、又は、移動体端末の送信データレート（例えば、変調、符号化レートなど）を選択するために用いられてよい。１より多くのそうした測定値が送信される場合、この情報は、線形量子化、非線形量子化、ベクトル量子化など種々の周知の手法により、送信用に符号化されてよい。
【００４１】
一部の実施形態では、移動体端末はＣＱＩ報告に加え、例えば、選択されるサブセットに含まれない帯域のＣＱＩ測定情報を表す１つ以上の追加ビットなど、追加の情報を送信する。この追加の情報は、スケジューラによりスケジューリングの競合を回避するために用いられ得る。例えば図４において、ビットマップ４００の一部として含まれる追加ビット４１０は、周波数帯域のサブセットのうちの１つ以上の周波数帯域に隣接して位置する第１及び第２の周波数帯域に対し測定されるＣＱＩを表す。ここで第１及び第２の周波数帯域は、周波数帯域のサブセットに含まれない。この情報は、例えば、選択される周波数帯域（選択周波数帯域）に隣接する選択周波数帯域が全て一定の指定範囲以内、例えば、対応する選択周波数帯域のｘｄＢ以内であることを表してもよい。この範囲はＢＳ又はＵＥにより指定されてもよく、或いは、製造時に先験的に確立されていてもよい。範囲ｘは０．２５ｄＢ、２．５ｄＢなどであってよく、周波数帯域のサブセットを判定するために用いられる範囲（存在する場合）と異なっていてよい。そうした範囲は静的又は半静的であってもよく、ネットワークにより決定され、シグナリングにより伝達されてもよい。一例として、図４では、ビット４１０が「１」に設定され、選択周波数帯域に隣接する周波数帯域は全て、選択周波数帯域その他、スケジューラに認識され得る参照のｘｄＢ以内であることを表す。
【００４２】
別の実施形態では、移動体端末はビットマップに加え、複数の追加ビットを送信する。ここで複数の追加ビットの各々は、選択周波数帯域のサブセットに含まれる周波数帯域の各々に対応する。この実施形態では、複数の追加ビットの各々は、追加ビットの対応する周波数帯域に隣接する１つ以上の周波数帯域のＣＱＩを表す。この実施形態では、選択周波数帯域に対応するビットが設定される場合、例えば１である場合、スケジューラは、選択周波数帯域に隣接する選択されていない周波数帯域（非選択周波数帯域）が選択周波数帯域その他の参照の指定範囲、例えば、ｘｄＢ以内であることを認識する。選択周波数帯域に対応するビットが設定されない場合、例えば０である場合、スケジューラは、選択周波数帯域に隣接する非選択周波数帯域が選択周波数帯域の指定範囲以内でないことを認識する。
【００４３】
図５では、追加ビット４０２はビット４０２の対応する選択周波数帯域に隣接する周波数帯域「Ａ」に関する情報を提供する。例えば、ビット４０２を「１」又は「０」に設定することにより、ビット４０３に隣接するビット「Ａ」が参照ＣＱＩの一定範囲以内であることが示されてよい。追加ビット４０４は、ビット４０５の対応する選択周波数帯域に隣接する周波数帯域「Ｂ」に関する情報を提供する。送信される追加ビットの数は固定（例えば、４）であってもよく、最大値までで可変であってもよい。追加ビットの数がサブセットの大きさ未満である場合、そのビットはサブセットに含まれる周波数帯域に所定の順序で対応する（例えば、左から右へ、右から左へ、最小の識別番号を最初になど）。追加ビットの数がサブセットの大きさより大きい場合、追加ビットのうちの一部は送信されても用いられなくてよい。例えば、図５には４つの追加ビットを示すが、サブセットの大きさは（この例では）３である。したがって、ビット４０６は用いられない。
【００４４】
別の実施形態では、各々の追加ビットは、選択周波数帯域に対応する１つ以上の連続するビットの集合に相当する。例えば図６では、追加ビット４２２は、第１の選択周波数帯域４２３に隣接する周波数帯域「Ａ」に関する情報を提供する。追加ビット４２４は、隣接するビット４２５に対応する選択周波数帯域に隣接する周波数帯域「Ｂ」に関する情報を提供する。この例示的な実施形態では、追加ビットの数（４）がサブセットに含まれる個別のビットの集団４２３，４２５を表すために必要な数よりも大きいので、ビット４２６は用いられない。
【００４５】
他の実施形態では、周波数選択性の表示など、他の帯域に対する追加の情報が提供されてよい。周波数選択性の表示は、例えば、非選択周波数帯域のＣＱＩの平均値、非選択周波数帯域のＣＱＩの平均値及び分散、指数関数的な有効ＳＩＲマッピング（ＥＥＳＭ；ｅｘｐｏｎｅｎｔｉａｌ  ｅｆｆｅｃｔｉｖｅ  ＳＩＲ  ｍａｐｐｉｎｇ）のＳＮＲ並びに非選択周波数帯域のベータ値など、絶対的な表示であってよい。ＥＥＳＭマッピングについては、「ＯＦＤＭ変調を用いるＨＳＤＰＡのシステム性能評価に関する考察（Considerations on the System-Performance evaluation of HSDPA using OFDM modulation）」（３ＧＰＰ  ＴＳＧ＿ＲＡＮ  ＷＧ１  ＃３４、Ｒ１−０３０９９９、２００３年１０月）に説明されている。追加の情報は、ほぼ全ての帯域幅を用いてユーザにピークデータレートを提供しようとするときや、選択周波数帯域を所望する他のユーザのために、その選択周波数帯域に隣接する帯域をユーザに割り当てようとするときに有用であり得る。ＥＥＳＭその他の方式は、非選択周波数帯域のセットや、より一般的には、セット全体で全帯域幅となり得る帯域の１つ以上のセットなど、周波数選択性の存在する周波数リソースに対し単一の最適な変調・符号化方式（ＭＣＳ；ｍｏｄｕｌａｔｉｏｎ  ａｎｄ  ｃｏｄｉｎｇ  ｓｃｈｅｍｅ）を選択するときに有用である。例えば、ＥＥＳＭ報告は選択周波数帯域及び非選択周波数帯域に対し作成されてよい。選択周波数帯域のセットの選択性をより高め、ＥＥＳＭ手続により最適データレート選択を可能とすることによって、フィードバックが減少されてよい。
【００４６】
別の実施形態では、上述のように、制御チャネルにはＦＳ  ＣＱＩ報告と同じ情報、例えば、割り当てられるビンのビットマップ、ビン毎のＭＳＣ値などが含まれてよい。ＵＥにＣＱＩ報告情報を保持させることにより、制御チャネルリソース割り当ての大きさが減少され得る。ここで、報告される情報は、将来の部分的な割り当てにより、完全に割り当てを構築するために用いられる。例えば、ＣＱＩ又はＭＣＳの値のビット毎に２ビットのＣＱＩ報告情報を有する、公称２０ＭＨｚの帯域幅を考える。この帯域幅は各々２００ｋＨｚの９６のビン（即ち、帯域、サブチャネル、チャンク）に分割される。一実施形態では、スケジューラ及びＵＥの双方がＣＱＩからＭＣＳを算出する方法を認識しており（ＣＱＩは直接的にフィードバックされる）、ビンが割り当てられているあいだビンのＭＣＳが明示的に送信される必要はない。このことは、１つのフレームにおいて多くの帯域がＵＥに対し割り当てられる場合、特に有用である。任意で、フィードバックメッセージの品質を改良し、他のリンクに対するフィードバック信頼性制限性能を有することを回避するため、ＣＲＣ又は追加のチャネル符号化が用いられる。ＴＤＤシステムでは、アップリンク（又はダウンリンク）が制限されることなくシステムスループットを最大化するため、アップリンク／ダウンリンク境界は最適に設定されてよい。一実施形態では、例えば、サブセットＣＱＩ値を幾つかのｄＢ閾値と比較することにより（例えば、ＱＰＳＫ＜８ｄＢ，８ｄＢ＜１６ＱＡＭ＜１２ｄＢ，６４ＱＡＭ＞１２ｄＢなど）、サブセットＣＱＩ値がＵＥ及びスケジューラの両方による特定の変調に関連付けられてよい。スケジューラにより行われる部分的な制御割り当てには変調が含まれず、ＵＥは部分的な制御割り当てに加え、送信されるＣＱＩ報告を用いて、変調を含む完全な制御割り当てを構築する。
【００４７】
ＣＱＩはＳＮＲを報告することにより、又は、セル全体を通じてブロードキャストされるパイロットシンボルに対し適用可能な別のＳＮＲ関連メトリックを報告することにより、送信されてよい。本発明では、このパイロットシンボルをグローバル参照シンボル（ＧＲＳ；Ｇｌｏｂａｌ  Ｒｅｆｅｒｅｎｃｅ  Ｓｙｍｂｏｌ）とも呼ぶ。専用パイロットＣＱＩを用いてハンドオフ決定のサービスを提供することが可能である。専用ＣＱＩは、ネットワークにより許可される時間−リソース割り当てに応じて、広帯域又は狭帯域であることが可能である。グローバル参照シンボル（ＧＲＳ）に基づくＣＱＩは必ずしもフレームのデータ部分を通じて干渉レベルを反映する必要はない。同期ネットワークでは、ＧＲＳに対するＴＤＭアプローチが適合される場合、及び、隣接セル（即ち、隣接リストにより指定されるセル）を考慮することなくＧＲＳが全セルにより最大出力で送信され、ＵＥがＧＲＳを処理する場合、ＧＲＳ  ＣＱＩメトリックはデータに割り当てられるＯＦＤＭシンボルのあいだより低い達成可能なＳＮＲを示してよい。ここで、周波数リソースの有効利用がより少ないため、干渉レベルはより低い。非同期ネットワークにおいては、２つの隣接セルが時間において整合する場合、問題が発生し得る。ネットワークは同期ネットワークとして指定され、ＧＲＳと隣接セルからのデータシンボルとの整合を保証するようにフレームが交代される必要がある。可能な解決法の１つは、フレームのデータ部分のあいだ実際の干渉負荷を反映するＣＱＩ生成を可能とし、データに割り当てられるＯＦＤＭシンボル内に限定された参照シンボルのセットを提供することである。そのような、埋め込まれている参照シンボルのセットは専用パイロット提供に用いられるシンボルと同じであってよい。
【００４８】
専用周波数帯域マッピング及びＣＱＩ報告手続は、送受信機にて複数のアンテナを用いるＭＩＭＯ方式により達成されるような、複数の空間チャネルの場合にも適用可能である。この場合、帯域サブセットの差は１つのチャネルのみではなく複数の空間チャネルの周波数帯域の全てからなり、周波数帯域マップ及び対応するＣＱＩにより表現される必要がある。一実施形態では、各空間チャネルに対し単純にビットマップが繰り返され、空間チャネルの周波数帯域サブセットに含まれる選択周波数帯域の全てを通じてＣＱＩが算出される。別の実施形態では、ビットマップ及び対応するＣＱＩは全ての空間チャネルに対しては報告されず、それより少なく、例えば、空間チャネルのうちの１つに対し報告される。報告用に選択される空間チャネルは最高のＳＮＲ又はＳＩＮＲメトリックに基づいてもよく、サポートされるデータレートを示すその他のメトリックに基づいてもよい。
【図面の簡単な説明】
【００４９】
【図１】例示的な無線通信システムの図。
【図２】例示的な無線通信端末の図。
【図３】例示的な処理のフローチャート。
【図４】例示的なチャネル品質インジケータ（ＣＱＩ）情報又は測定報告の図。
【図５】別の例示的なＣＱＩ情報報告の図。
【図６】別の例示的なＣＱＩ情報報告の図。
【図１】
2007043696.tif 000003
【図２】
2007043696.tif 000004
【図３】
2007043696.tif 000005
【図４】
2007043696.tif 000006
【図５】
2007043696.tif 000007
【図６】
2007043696.tif 000008